(57)【特許請求の範囲】
【請求項１】
ボイラ水のブロー後、
純水若しくは軟水に中和性アミンを含有させ、ヒドラジンおよび亜硝酸ナトリウムを含有させないｐＨ９．５以上の中和性アミン液でボイラを満水にして、
ボイラ内に存在する酸性物質を中和してボイラ缶水のｐＨを上昇させ、ボイラ缶水をアルカリ性に保つことにより、ボイラの腐食を防止し保存する休止中ボイラの防食方法であって、
前記中和性アミンは、モノエタノールアミン、モノイソプロパノールアミン、シクロヘキシルアミン、２−アミノ−２−メチル−１−プロパノール、ジエチルエタノールアミンおよびモルホリンからなる群より選ばれる少なくとも一種の化合物であることを特徴とする休止中ボイラの防食方法。
【請求項２】
中和性アミン液において、中和性アミンの濃度が５０〜２０００ｍｇ／Ｌｉｔｅｒである請求項１記載の休止中ボイラの防食方法。
【発明の詳細な説明】
【０００１】
【発明の属する技術分野】
本発明は休止中にあるボイラの防食方法、特に薬品を含む水でボイラを満水にして保存するボイラの防食方法に関する。
【０００２】
【従来の技術】
ボイラプラントを２週間以上等の比較的長期にわたって休止させる場合、休止中におけるボイラの腐食を防止することが必要とされる。腐食防止に関し、ボイラ水を完全にブローし、シリカゲルなどの乾燥剤をボイラ缶内に配置した状態でボイラ缶内を密閉する、乾燥保存方法が従来より採用されている。
しかし、近年ボイラの構造が複雑になってきており、完全にボイラ水をブローできない場合が増えている。また乾燥保存方法では、休止期間が長期間にわたる場合に乾燥剤を定期的に交換しなければならず、手間がかかる。
【０００３】
完全にボイラ水をブローできない場合においては、純水若しくは軟水にヒドラジンを１００〜１０００ｍｇ／Ｌ添加してボイラを満水保存する方法や、亜硝酸ナトリウムを２００〜５００ｍｇ／Ｌ添加してボイラを満水保存する方法が採用されている。
しかし、ヒドラジンは発癌性に関与している疑いがあるので、その使用が問題視されている。また亜硝酸ナトリウムは固形成分であるため、スーパーヒーターやタービンを有するボイラでは、保缶後に純水による逆流洗浄が可能な場合にしか適用することができない。
【０００４】
【発明が解決しようとする課題】
本発明の課題は、どのようなボイラにも適用可能であり、人体に対する安全性も高く、長期間にわたって高い防食効果を得ることができる休止中のボイラの防食方法を提案することである。
【０００５】
【課題を解決するための手段】
本発明は次の休止中のボイラの防食方法である。
（１）  ボイラ水のブロー後、
純水若しくは軟水に中和性アミンを含有させ、ヒドラジンおよび亜硝酸ナトリウムを含有させないｐＨ９．５以上の中和性アミン液でボイラを満水にして、
ボイラ内に存在する酸性物質を中和してボイラ缶水のｐＨを上昇させ、ボイラ缶水をアルカリ性に保つことにより、ボイラの腐食を防止し保存する休止中ボイラの防食方法であって、
前記中和性アミンは、モノエタノールアミン、モノイソプロパノールアミン、シクロヘキシルアミン、２−アミノ−２−メチル−１−プロパノール、ジエチルエタノールアミンおよびモルホリンからなる群より選ばれる少なくとも一種の化合物であることを特徴とする休止中ボイラの防食方法。
（２）  中和性アミン液において、中和性アミンの濃度が５０〜２０００ｍｇ／Ｌｉｔｅｒである上記（１）記載の休止中ボイラの防食方法。
【０００６】
本発明の防食方法は、どのようなボイラにも適用可能であり、具体的には丸ボイラ、水管ボイラ、貫流ボイラ、特殊ボイラ等をあげることができる。これらボイラは低圧、中圧、高圧のいずれのボイラでもよい。また本発明の防食方法はスーパーヒーターやタービンを有するボイラ等において逆流洗浄が不可能なボイラにも適用可能である。
【０００７】
本発明の防食方法は、このようなボイラについて、まずボイラ水をブローする。ブローは、ボイラ内のボイラ水を全ブローするのが好ましい。ただし全ブローができない場合、可能な限りボイラ水を排出した後、ボイラ内や管内に残っているボイラ水を置換するようにしてブローを行う。
【０００８】
ブロー後、純水若しくは軟水に中和性アミンを添加し、ヒドラジンおよび亜硝酸ナトリウムを添加しないｐＨ９．５以上の中和性アミン液でボイラを満水にする。中和性アミンがボイラ内に存在する二酸化炭素、その他の酸性物質を中和してボイラ缶水のｐＨを上昇させ、ボイラ缶水をアルカリ性に保つことにより、ボイラの腐食が長期間にわたって防止される。中和性アミン液は、純水若しくは軟水に予め中和性アミンを混和させることによって得ることができる。ただし、純水若しくは軟水でボイラ内を満水にした後、ボイラ内に中和性アミンを添加してもよい。
【０００９】
本発明において用いられる中和性アミンは、具体的にはモノエタノールアミン、モノイソプロパノールアミン、シクロヘキシルアミン、２−アミノ−２−メチル−１−プロパノール、ジエチルエタノールアミンおよびモルホリンからなる群より選ばれる。これら中和性アミンは、一種のみで用いてもよいが、２種以上を組み合わせて使用してもよい。上記の中和性アミンの中でも、シクロヘキシルアミン、モルホリンおよびジエチルエタノールアミンはＦＤＡ規格のボイラ用添加剤としても使用が認められており、また２−アミノ−２−メチル−１−プロパノールはＦＤＡ規格の間接食品添加物（secondary direct food additives）に記載されており、人体に対する安全性が高い。
【００１０】
中和性アミンは、純水若しくは軟水中に好ましくは５０〜２０００ｍｇ／Ｌｉｔｅｒの割合で添加され、更に好ましくは１００〜１５００ｍｇ／Ｌｉｔｅｒ、特に好ましくは２００〜１０００ｍｇ／Ｌｉｔｅｒであることが望ましい。特に中和性アミンの添加量が１００ｍｇ／Ｌｉｔｅｒ以上であると、十分な防食効果を得ることができ、添加量が増えるほど防食効果が高くなる。なお添加量は前記上限を越してもかまわないが、経済性の点から２０００ｍｇ／Ｌｉｔｅｒ以下であることが好ましい。中和性アミンを添加した水のｐＨは９．５以上、好ましくは１０以上とする。
【００１１】
中和性アミンは、純水若しくは軟水に添加される。本発明において軟水とは、軟水処理を施した水を意味し、具体的には硬度（ＣａＣＯ3）が１ｍｇ／Ｌｉｔｅｒ以下のものであることが好ましい。
【００１２】
ボイラを満水にする純水若しくは軟水には、中和性アミンの他、必要に応じてその他既存のボイラ水処理用添加剤が添加されてもよい。なおヒドラジンや亜硝酸ナトリウムは使用しない。
【００１３】
上記のようにして中和性アミン液で満水にされたボイラの保存が長期にわたる場合には、定期的に点検を行うことが好ましい。例えば月に１〜２回程度中和性アミンの濃度を調査し、中和性アミンの濃度またはｐＨが低下している場合には、中和性アミンをボイラ内に追加注入することが好ましい。
中止期間の終了後、ボイラを再度運転開始させるときには、全ブローして内部を点検したのち、水張りして運転を開始させる。
【００１４】
【００１４】
【発明の効果】
以上の通り、本発明によれば、ボイラ水のブロー後、純水若しくは軟水に中和性アミンを含有させ、ヒドラジンおよび亜硝酸ナトリウムを含有させないｐＨ９．５以上の特定の中和性アミン液でボイラを満水にして、ボイラ内に存在する酸性物質を中和してボイラ缶水のｐＨを上昇させ、ボイラ缶水をアルカリ性に保つことにより、ボイラの腐食を防止し保存するようにしたため、ボイラを中和性アミン液で満水させる方法によって休止中のボイラの腐食を簡単に防止できるので、本発明の防食方法はどのような種類のボイラにも適用可能であり、例えば乾燥保存方法が適用できないボイラや、亜硝酸ナトリウム等の固体の防食剤を用いる満水保存が適用できないボイラであっても、腐食を防止することができる。
さらに本発明のボイラの防食方法を用いると、ボイラが長期間にわたって休止し保管される場合であっても、高い防食効果が維持される。
また本発明で用いられる中和性アミンのうち、米国ＦＤＡ規格に記載されているシクロヘキシルアミン、モルホリンおよびジエチルエタノールアミンは人体に対する安全性が高いので、ボイラ休止後の運転再開後に得られるボイラ水は、人体に有害な物質を含む可能性が低い。
【００１５】
【発明の実施の形態】
以下、具体例によってさらに本発明を説明するが、本発明はこれらに限定されるものではない。
実施例１〜２０
純水に表１に示す薬剤を添加して５００ｍｌにメスアップしたものを容量５００ｍＬのコニカルビーカーに入れ、ここに鋼材性試験片（１ｍｍ×３０ｍｍ×５０ｍｍ）を２枚浸漬し、ビーカー上部にプラスチック製シートで蓋をして室温にて静置した。
表１に示した期間経過後に試験片を引き上げ、脱錆処理して腐食減量を測定し、腐食速度を求めた。結果を表１に示す。
なお、表中のＭＥＡはモノエタノールアミン、ＭＩＰＡはモノイソプロパノールアミン、ＭＯＲはモルホリン、ＤＥＥＡはジエチルエタノールアミン、ＡＭＰは２−アミノ−２−メチル−１−プロパノール、ＣＨＡはシクロヘキシルアミンを示す。
【００１６】
比較例１〜３
比較例１は、防食のための薬剤を添加しない点以外は実施例と同様に試験を行った。比較例２および３は、防食効果を得るための薬剤として中和性アミンの代わりにヒドラジンを用いた点以外は実施例と同様に試験を行った。
【００１７】
【表１】
0005017742.tif 000002
【００１８】
表１の結果より、実施例１〜２０において比較例のヒドラジンとほぼ同等若しくはそれ以上の防食効果を得られたことがわかる。また、中和性アミンの含有量が多いほど、防食効果が高くなった。